(57)【要約】【課題】  ケーブルやコネクタの劣化、破損を抑制した偏分波器、及び、コネクタ装置を提供する。【解決手段】  偏分波器は、一端の開口部から伸延する円形導波路が形成される導波管と円形導波路の他端を閉じる壁部とを有する導波管本体と、壁部の円形導波路に面する第１面とは反対の第２面に取り付けられ、第１信号端子を有する第１コネクタと、壁部の第２面に取り付けられ、第２信号端子を有する第２コネクタと、円形導波路の内部で壁部から第１の距離だけ離間した位置に配設される第１放射素子と、円形導波路の内部で壁部から第２の距離だけ離間し、円形導波路の断面視で第１放射素子とは９０度異なる位置に配設される第２放射素子と、一端が第１信号端子に接続され、他端が第１放射素子に接続される第１配線と、一端が第２信号端子に接続され、他端が第２放射素子に接続される第２配線とを含む。【選択図】図１
2016146590.tif 000002
【特許請求の範囲】
【請求項１】
アンテナ装置に接続される一端の開口部から他端まで内部を伸延する円形導波路が形成される導波管と、前記導波管の前記他端に配設され、前記円形導波路の前記他端を閉じる壁部とを有する導波管本体と、
前記壁部の前記円形導波路に面する第１面とは反対の第２面に取り付けられ、第１信号端子を有する第１コネクタと、
前記壁部の前記第２面に取り付けられ、第２信号端子を有する第２コネクタと、
前記導波管とは絶縁され、前記円形導波路の内部で前記壁部から第１の距離だけ離間した位置に配設される第１放射素子と、
前記導波管とは絶縁され、前記円形導波路の内部で前記壁部から第２の距離だけ離間し、前記円形導波路の断面視で前記第１放射素子とは９０度異なる位置に配設される第２放射素子と、
一端が前記第１信号端子に接続され、前記導波管本体とは絶縁された状態で前記導波管を貫通し、他端が前記第１放射素子に接続される第１配線と、
一端が前記第２信号端子に接続され、前記導波管本体とは絶縁された状態で前記導波管を貫通し、他端が前記第２放射素子に接続される第２配線と
を含む、偏分波器。
【請求項２】
前記壁部の前記第２面に取り付けられ、前記第２面から前記第１コネクタ及び前記第２コネクタの相手側の第３コネクタ及び第４コネクタの挿抜方向に伸延し、前記第３コネクタ及び前記第４コネクタを前記第１コネクタ及び前記第２コネクタに案内するガイド部をさらに含む、請求項１記載の偏分波器。
【請求項３】
前記ガイド部は、前記第３コネクタ及び前記第４コネクタを前記第１コネクタ及び前記第２コネクタにそれぞれ案内するように、非対称に配置される複数のピンを有する、又は、非対称な形状を有する、請求項２記載の偏分波器。
【請求項４】
前記導波管本体の前記他端に回動自在に取り付けられて前記第１コネクタ及び前記第２コネクタの側面側を覆い、先端側に形成されるねじ山を有する、カバー部をさらに含む、請求項１乃至３のいずれか一項記載の偏分波器。
【請求項５】
前記第１コネクタ及び前記第２コネクタの相手側の第３コネクタ及び第４コネクタを有し、請求項１乃至４のいずれか一項記載の偏分波器に接続される、コネクタ装置。
【発明の詳細な説明】
【技術分野】
【０００１】
本発明は、偏分波器、及び、コネクタ装置に関する。
【背景技術】
【０００２】
従来より、使用周波数帯の信号を伝送し、互いに管軸が直交する１組の方形導波管を有する偏分波器がある（例えば、特許文献１参照）。
【先行技術文献】
【特許文献】
【０００３】
【特許文献１】特開平０７−０２２８０３号公報
【発明の概要】
【発明が解決しようとする課題】
【０００４】
しかしながら、従来の偏分波器は、互いに管軸が直交する１組の方形導波管にそれぞれ同軸ケーブルを接続すると、同軸ケーブルに余計なテンションがかかり、偏分波器のコネクタ、同軸ケーブルのコネクタ、同軸ケーブルのコネクタとケーブルの接続部、及び同軸ケーブルのケーブル等の劣化、破損の原因になりやすかった。特に、上方向に伸延する導波管に接続される同軸ケーブルでは、このような問題が顕著であった。
【０００５】
このように、従来の偏分波器は、ケーブルやコネクタの劣化、破損を招くという問題がある。
【０００６】
そこで、ケーブルやコネクタの劣化、破損を抑制した偏分波器、及び、コネクタ装置を提供することを目的とする。
【課題を解決するための手段】
【０００７】
本発明の実施の形態の偏分波器は、アンテナ装置に接続される一端の開口部から他端まで内部を伸延する円形導波路が形成される導波管と、前記導波管の前記他端に配設され、前記円形導波路の前記他端を閉じる壁部とを有する導波管本体と、前記壁部の前記円形導波路に面する第１面とは反対の第２面に取り付けられ、第１信号端子を有する第１コネクタと、前記壁部の前記第２面に取り付けられ、第２信号端子を有する第２コネクタと、前記導波管とは絶縁され、前記円形導波路の内部で前記壁部から第１の距離だけ離間した位置に配設される第１放射素子と、前記導波管とは絶縁され、前記円形導波路の内部で前記壁部から第２の距離だけ離間し、前記円形導波路の断面視で前記第１放射素子とは９０度異なる位置に配設される第２放射素子と、一端が前記第１信号端子に接続され、前記導波管本体とは絶縁された状態で前記導波管を貫通し、他端が前記第１放射素子に接続される第１配線と、一端が前記第２信号端子に接続され、前記導波管本体とは絶縁された状態で前記導波管を貫通し、他端が前記第２放射素子に接続される第２配線とを含む。
【発明の効果】
【０００８】
ケーブルやコネクタの劣化、破損を抑制した偏分波器、及び、コネクタ装置を提供することができる。
【図面の簡単な説明】
【０００９】
【図１】実施の形態の偏分波器１００に導波管２１０を接続した状態を示す側面図である。
【図２】偏分波器１００の平面構成と断面構成を示す図である。
【図３】相手側のコネクタ装置３００を示す図である。
【図４】コネクタ装置にケーブルとＦＰＵ送受信装置を接続した状態を示す図である。
【図５】コネクタ装置にケーブルとＦＰＵ送受信装置を接続した状態を示す図である。
【図６】コネクタ装置にケーブルとＦＰＵ送受信装置を接続した状態を示す図である。
【発明を実施するための形態】
【００１０】
以下、本発明の偏分波器、及び、コネクタ装置を適用した実施の形態について説明する。
【００１１】
＜実施の形態＞
図１は、実施の形態の偏分波器１００に導波管２１０を接続した状態を示す側面図である。図２は、偏分波器１００の平面構成と断面構成を示す図である。図１及び図２では、図示するようにＸＹＺ座標系を定義する。
【００１２】
図２（Ａ）は、Ｘ軸負方向側から偏分波器１００のＹＺ平面構成を示す図であり、図２（Ｃ）は、Ｘ軸正方向側から偏分波器１００のＹＺ平面構成を示す図であり、図２（Ｂ）は、図２（Ａ）、（Ｃ）におけるＡ１−Ａ２矢視断面の構成を示す図である。
【００１３】
偏分波器１００は、導波管本体１１０、コネクタ１２０、１３０、ガイドピン１４０、サブガイドピン１５０、インナーカバー１６０、及びアウターカバー１７０を含む。偏分波器１００は、所謂ＯＭＴ（Orthogonal Mode Transducer：水平垂直偏波分波器）である。
【００１４】
導波管本体１１０は、Ｘ軸方向に長手方向を有する円筒状の部材であり、長手方向に垂直な断面が円形の円形導波路１１１が内部に形成されている。円形導波路１１１は、Ｘ軸正方向側に円形に開口された開口部１１１Ａを有し、Ｘ軸負方向側の端部は壁部１１２で閉じられている。導波管本体１１０のＸ軸正方向側の端部の外周には、フランジ１１３が設けられている。フランジ１１３は、導波管２１０を接続するために用いられる。
【００１５】
また、円形導波路１１１の内部には、ピン１１４、１１５、反射部１１６が設けられている。ピン１１４は、水平偏波の電波を放射するために設けられており、ピン１１５は、垂直偏波の電波を放射するために設けられている。ピン１１４、１１５は、導波管本体１１０の外周壁部を貫通する孔部に通されており、導波管本体１１０とは絶縁されている。反射部１１６は、Ｘ軸正方向側から伝搬する垂直偏波の電波を反射するために設けられている。
【００１６】
このため、図２（Ｃ）に示すように、ピン１１４と１１５の位置は、円形導波路１１１の円形の断面内で、円形導波路１１１の中心軸に対して、円周方向に９０度異なる位置に配設されている。
【００１７】
なお、導波管２１０は、Ｘ軸方向に長手方向を有する円筒状の部材であり、長手方向に垂直な断面が円形の円形導波路２１１が内部に形成されている。導波管２１０には、パラボラアンテナ用の放射器２２０、フランジ２３０、及びプレート２４０が取り付けられている。導波管２１０のフランジ２３０は、導波管本体１１０のフランジ１１３に取り付けられる。導波管２１０には、パラボラアンテナ用の反射鏡が取り付けられる。
【００１８】
コネクタ１２０は、ピン１２１と嵌合部１２２を有し、インナーカバー１６０のＸ軸負方向側の端面に配置されている。コネクタ１２０は、同軸コネクタであり、ピン１２１が信号線用で、嵌合部１２２はグランド電位（基準電位）用である。ピン１２１は配線１８０を介してピン１１４に接続されている。嵌合部１２２は、導波管本体１１０に接続されている。
【００１９】
コネクタ１３０は、ピン１３１と嵌合部１３２を有し、インナーカバー１６０のＸ軸負方向側の端面に配置されている。コネクタ１３０は、同軸コネクタであり、ピン１３１が信号線用で、嵌合部１３２はグランド電位（基準電位）用である。ピン１３１は配線１９０を介してピン１１５に接続されている。嵌合部１３２は、導波管本体１１０に接続されている。
【００２０】
なお、コネクタ１２０、１３０は、例えば、Ｎ型同軸コネクタ、又はＳＭＡ型同軸コネクタを用いることができる。
【００２１】
ガイドピン１４０は、インナーカバー１６０のＸ軸負方向側の端面に２本配置されており、サブガイドピン１５０は、インナーカバー１６０のＸ軸負方向側の端面に１本配置されている。
【００２２】
ガイドピン１４０とサブガイドピン１５０は、図２（Ａ）に示すように、アウターカバー１７０の円形の開口部１７１をＹＺ平面視したときに、開口部１７１の中心に対して非対称に配設される。これは、コネクタ１２０と１３０の相手側の２本のコネクタが互い違いに接続されることを防ぐためである。
【００２３】
また、ガイドピン１４０とサブガイドピン１５０は、コネクタ１２０、１３０よりもＸ軸方向に長く、先端が突出していることが望ましい。コネクタ１２０、１３０が相手側のコネクタに係合する前に、ガイドピン１４０とサブガイドピン１５０を相手側のガイドホールに係合させるためである。
【００２４】
インナーカバー１６０は、導波管本体１１０の周囲を覆うように取り付けられている円柱状の部材である。インナーカバー１６０は、導波管本体１１０のフランジ１１３以外の部分を覆っている。また、インナーカバー１６０の外周部は、アウターカバー１７０の内周部と係合しており、インナーカバー１６０に対してアウターカバー１７０は、Ｘ軸方向に移動可能であるとともに、ＹＺ平面内で回動自在に取り付けられている。
【００２５】
アウターカバー１７０は、コネクタ１２０及び１３０とインナーカバー１６０の外周を覆うように設けられる円柱状の部材である。アウターカバー１７０の開口部１７１の近傍の内周面には、ねじ山１７２が形成されている。
【００２６】
アウターカバー１７０は、インナーカバー１６０に対してＸ軸方向に移動可能であるとともに、ＹＺ平面内で回動自在に取り付けられており、相手側のコネクタ装置にガイドピン１４０とサブガイドピン１５０を係合させた状態でコネクタ１２０及び１３０を接続し、さらにねじ山１７２を相手側のコネクタ装置の対応するねじ山と係合させることにより、コネクタ１２０及び１３０の接続部を覆うように構成されている。相手側のコネクタ装置については、図３を用いて後述する。
【００２７】
配線１８０は、コネクタ１２０のピン１２１と、円形導波路１１１の内部のピン１１４とを接続している。配線１８０は、導波管本体１１０から絶縁された状態で、ピン１２１とピン１１４を接続できる配線であればよく、ピン１１４側では導波管本体１１０の外周面に沿って設けられている。
【００２８】
配線１９０は、コネクタ１３０のピン１３１と、円形導波路１１１の内部のピン１１５とを接続している。配線１９０は、導波管本体１１０から絶縁された状態で、ピン１３１とピン１１５を接続できる配線であればよく、ピン１１５側では導波管本体１１０の外周面に沿って設けられている。
【００２９】
以上のような構成の偏分波器１００は、水平偏波の電波と垂直偏波の電波とを分離し、コネクタ１２０と導波管２１０との間で水平偏波の電波を伝送することができるとともに、コネクタ１３０と導波管２１０との間で垂直偏波の電波を伝送することができる。
【００３０】
図３は、相手側のコネクタ装置３００を示す図である。図３には、図１及び図２と同一のＸＹＺ座標を示す。図３に示すコネクタ装置３００は、図１及び図２に示す偏分波器１００にＸ軸方向に沿って向かい合わせて取り付け可能な向きである。
【００３１】
図３（Ａ）は、Ｙ軸負方向側からコネクタ装置３００の側面構成を示す図であり、図３（Ｂ）は、Ｘ軸正方向側からコネクタ装置３００のＹＺ平面構成を示す図であり、図３（Ｃ）は、Ｚ軸負方向側からコネクタ装置３００の底面構成を示す図である。
【００３２】
コネクタ装置３００は、コネクタ３２０、３３０、ガイドホール３４０、サブガイドホール３５０、本体部３７０を含む。
【００３３】
本体部３７０は、金属製であり、Ｘ軸正方向側に突出する突出部３７１を有する。突出部のＸ軸正方向側の端面には、コネクタ３２０、３３０が取り付けられるとともに、ガイドホール３４０とサブガイドホール３５０が形成されている。また、突出部３７１の外周面には、ねじ山３７２が形成されている。また、本体部３７０は、Ｘ軸負方向側の端面から円柱状にくり抜かれた凹部３７４を有する。
【００３４】
コネクタ３２０は、ピンホール３２１と嵌合部３２２を有する。コネクタ３２０は、コネクタ１２０の相手側になる同軸コネクタであり、ピンホール３２１が信号線用で、コネクタ１２０のピン１２１が挿入され、電気的に接続される。ピンホール３２１と嵌合部３２２は絶縁されている。
【００３５】
嵌合部３２２はグランド電位（基準電位）用である。嵌合部３２２は外周面にねじ山が形成されており、コネクタ１２０の嵌合部１２２の内部にねじ止めされる。嵌合部３２２は、本体部３７０に接続されている。
【００３６】
また、ピンホール３２１には、本体部３７０を貫通する信号線３２３が接続されている。信号線３２３は、本体部３７０とは絶縁された状態で、凹部３７４の内部に突出している。
【００３７】
コネクタ３３０は、ピンホール３３１と嵌合部３３２を有する。コネクタ３３０は、コネクタ１３０の相手側になる同軸コネクタであり、ピンホール３３１が信号線用で、コネクタ１３０のピン１３１が挿入され、電気的に接続される。ピンホール３３１と嵌合部３３２は絶縁されている。
【００３８】
嵌合部３３２はグランド電位（基準電位）用である。嵌合部３３２は外周面にねじ山が形成されており、コネクタ１３０の嵌合部１３２の内部にねじ止めされる。嵌合部３３２は、本体部３７０に接続されている。
【００３９】
また、ピンホール３３１には、本体部３７０を貫通する信号線３３３が接続されている。信号線３３３は、本体部３７０とは絶縁された状態で、凹部３７４の内部に突出している。
【００４０】
ガイドホール３４０は、２本のガイドピン１４０に対応して、突出部のＸ軸正方向側の端面からＸ軸負方向に２つ形成されている。２つのガイドホール３４０の開口径、深さ、位置は、２本のガイドピン１４０の太さ、長さ、位置に合わせられている。
【００４１】
サブガイドホール３５０は、サブガイドピン１５０に対応して、突出部のＸ軸正方向側の端面からＸ軸負方向に形成されている。サブガイドホール３５０の開口径、深さ、位置は、サブガイドピン１５０の太さ、長さ、位置に合わせられている。
【００４２】
サブガイドホール３５０は、突出部３７１のＸ軸正方向側の円形の端面の中心からオフセットして形成される。これは、ガイドホール３４０及びサブガイドホール３５０を突出部３７１のＸ軸正方向側の円形の端面の中心に対して非対称に配設することにより、コネクタ３２０がコネクタ１２０に接続されるとともに、コネクタ３３０がコネクタ１３０に接続されるようにし、コネクタ１２０、１３０、３２０、３３０が互い違いに接続されることを防ぐためである。
【００４３】
このようなコネクタ装置３００は、２つのガイドホール３４０とサブガイドホール３５０に、それぞれ、２つのガイドピン１４０とサブガイドピン１５０の先端を挿入させて、コネクタ３２０にコネクタ１２０を押し込むとともに、コネクタ３３０にコネクタ１３０を押し込む。これにより、ピンホール３２１にピン１２１が挿入され、嵌合部３２２に嵌合部１２２が嵌合される。また、ピンホール３３１にピン１３１が挿入され、嵌合部３３２に嵌合部１３２が嵌合される。
【００４４】
そして、コネクタ３２０にコネクタ１２０をしっかりと押し込むとともに、コネクタ３３０にコネクタ１３０をしっかりと押し込んだ状態で、偏分波器１００のアウターカバー１７０をＸ軸負方向側にスライドさせて、突出部３７１にアウターカバー１７０の先端の位置を合わせ、ねじ山３７２をねじ山１７２に係合させて、アウターカバー１７０を回転させて突出部３７１にねじ止めする。
【００４５】
このようにすることにより、偏分波器１００にコネクタ装置３００を接続することができる。偏分波器１００にコネクタ装置３００を完全に接続すると、コネクタ１２０とコネクタ３２０が接続されるとともに、コネクタ１３０とコネクタ３３０が接続された状態で、コネクタ１２０、１３０、３２０、３３０の周囲は、アウターカバー１７０と本体部３７０の突出部３７１とのねじ止めによって封止される。
【００４６】
図４乃至図６は、コネクタ装置にケーブルとＦＰＵ（Field Pick-up Unit）送受信装置を接続した状態を示す図である。
【００４７】
ＦＰＵは、例えば、緊急報道やスポーツ中継などで映像，音声を無線伝送するシステムとして用いられている装置である。映像信号をＦＰＵで伝送する場合、中継車の屋上やビルの屋上に送信アンテナ（パラボラアンテナ）を設置して、ビルや山の上に設置した受信基地局に向けて映像音声信号を送信する。
【００４８】
コネクタ装置３００Ａは、図３に示すコネクタ装置３００にＮ型同軸コネクタ３８０Ａ、３８０Ｂを取り付けたものである。Ｎ型同軸コネクタ３８０Ａ、３８０Ｂの信号ピンは、信号線３２３、３３３にそれぞれ接続されている。Ｎ型同軸コネクタ３８０Ａ、３８０Ｂの嵌合部は、本体部３７０に取り付けられるとともに、電気的に接続されている。
【００４９】
Ｎ型同軸コネクタ３８０Ａ、３８０Ｂには、それぞれ、同軸ケーブル３９０Ａ、３９０ＢのＮ型同軸コネクタ３９０Ａ１、３９０Ｂ１が接続されている。また、同軸ケーブル３９０Ａ、３９０Ｂの反対側のＮ型同軸コネクタ３９０Ａ２、３９０Ｂ２は、ＦＰＵ送受信装置４００Ａ、４００ＢのＮ型同軸コネクタ４８０Ａ、４８０Ｂに接続されている。ＦＰＵ送受信装置４００Ａ、４００Ｂは、それぞれ、水平偏波の電波、垂直偏波の電波を利用して信号の送受信を行う装置である。
【００５０】
このように、コネクタ装置３００ＡのＮ型同軸コネクタ３８０Ａ、３８０Ｂに、同軸ケーブル３９０Ａ、３９０Ｂを介して、ＦＰＵ送受信装置４００Ａ、４００Ｂを接続してもよい。
【００５１】
また、図５に示すコネクタ装置３００Ｂは、図４に示すコネクタ装置３００ＡのＮ型同軸コネクタ３８０Ａ、３８０Ｂの代わりに、同軸ケーブル３９０Ａ、３９０Ｂを直接接続した構造を有する。同軸ケーブル３９０Ａ、３９０Ｂの信号線は、それぞれ、コネクタ装置３００Ｂの信号線３２３、３３３に接続されている。また、コネクタ装置３００Ｂの本体部３７０は、専用の形状を有する。
【００５２】
このように、コネクタ装置３００Ｂに、同軸ケーブル３９０Ａ、３９０Ｂを介して、ＦＰＵ送受信装置４００Ａ、４００Ｂを接続してもよい。
【００５３】
また、図６に示すように、コネクタ装置３００を直接的にＦＰＵ送受信装置４００に接続してもよい。
【００５４】
以上、実施の形態によれば、偏分波器１００の壁部１１２の円形導波路１１１が位置する面（図２（Ｂ）の右側の面）とは逆の面（図２（Ｂ）の左側の面）側にコネクタ１２０、１３０を設けたので、コネクタ１２０、１３０の接続相手は、導波管本体１１０をＸ軸正方向側から見たときに、壁部１１２の反対側に伸延することになる。
【００５５】
すなわち、導波管本体１１０の外周方向に接続相手が伸延することがなくなり、導波管本体１１０の延伸方向に接続相手が存在することになる。
【００５６】
このため、コネクタ１２０、１３０に接続されるケーブルやコネクタに様々な方向のテンションがかかることを抑制することができ、ケーブルやコネクタの劣化、破損を抑制した偏分波器１００を提供することができる。
【００５７】
また、偏分波器１００の導波管本体１１０の延伸方向に接続されるコネクタ装置３００は、コネクタ１２０、１３０に接続されるコネクタ３２０、３３０を有するので、コネクタ１２０、１３０に接続されるコネクタ３２０、３３０に様々な方向のテンションがかかることを抑制することができる。また、コネクタ装置３００、３００Ａ、３００Ｂに接続される同軸ケーブル３９０Ａ、３９０Ｂに様々な方向のテンションがかかることを抑制することができる。
【００５８】
従って、実施の形態によれば、ケーブルやコネクタの劣化、破損を抑制したコネクタ装置３００、３００Ａ、３００Ｂを提供することができる。
【００５９】
また、水平偏波の電波と垂直偏波の電波との２系統の入出力コネクタ（コネクタ１２０、１３０）を１か所へ集約することにより、送受信装置とアンテナの直結が可能となり、給電線損失を最小化し、高効率な電波発射を実現できる。
【００６０】
また、ガイドピン１４０、サブガイドピン１５０を設けたことにより、コネクタ１２０、１３０とコネクタ３２０、３３０とをガイドピン１４０、サブガイドピン１５０に沿って、正対させながら接続することができ、着脱時のコネクタ劣化を軽減できる。
【００６１】
また、偏分波器１００にコネクタ装置３００を取り付ける際に、ガイドピン１４０、サブガイドピン１５０がガイドホール３４０、サブガイドホール３５０に先行して係合した状態で、コネクタ１２０、１３０とコネクタ３２０、３３０とを固定できるので、接続時に両手を離して、２系統のコネクタ１２０、１３０とコネクタ３２０、３３０を各手で締めることができる。
【００６２】
また、非対称性を実現するサブガイドピン１５０とサブガイドホール３５０を設けることにより、コネクタ１２０、１３０とコネクタ３２０、３３０の逆接続を防止できる。
【００６３】
また、偏分波器１００のアウターカバー１７０のねじ山１７２と、コネクタ装置３００、３００Ａ、３００Ｂの突出部３７１のねじ山３７２とをねじ止めすれば、コネクタ１２０、１３０とコネクタ３２０、３３０との間には、荷重や力が掛からないので、コネクタ１２０、１３０、３２０、３３０の劣化、破損を効果的に抑制することができる。
【００６４】
また、この場合は、アウターカバー１７０と突出部３７１によって、偏分波器１００に対して、導波管本体１１０の延伸方向にコネクタ装置３００を強固かつ容易に取り付けることができる。
【００６５】
また、アウターカバー１７０と突出部３７１がねじ止めされて、全体を増し締めすることで抜けにくくするほか、コネクタ１２０、１３０とコネクタ３２０、３３０の露出を防ぎ、経年劣化を抑止できる。
【００６６】
また、コネクタ１２０とコネクタ３２０が接続されるとともに、コネクタ１２０とコネクタ３２０が接続された状態で、コネクタ１２０、１３０、３２０、３３０の周囲は、アウターカバー１７０と本体部３７０の突出部３７１とのねじ止めによって封止されるので、防塵や防水の効果も得られる。
【００６７】
なお、以上では、コネクタ１２０、１３０が雄型で、コネクタ３２０、３３０が雌型である形態について説明したが、逆であってもよい。また、どちらか一方を入れ替えてもよい。
【００６８】
また、ガイドピン１４０およびサブガイドピン１５０、ガイドホール３４０およびサブガイドホール３５０については、図１乃至３に示す配置は一例であり、非対称性を実現できる配置や本数であれば、どのような配置、本数にしてもよい。この場合に、図１乃至３に示すガイドピン１４０およびサブガイドピン１５０の代わりに、断面形状が非対称なガイドピン１４０を１本設け、サブガイドピン１５０を設けなくてもよい。このようにして非対称性を実現してもよい。ガイドホール３４０およびサブガイドホール３５０は、ガイドピン１４０およびサブガイドピン１５０の配置、本数の変形に合わせて変形すればよい。
【００６９】
また、偏分波器１００がアウターカバー１７０を含まずに、コネクタ１２０、１３０に同軸ケーブル３９０Ａ、３９０Ｂを直接的に接続してもよい。
【００７０】
また、以上では、偏分波器１００が水平偏波・垂直偏波の電磁波を分波し、コネクタ１２０、１３０が水平偏波・垂直偏波の電磁波を伝送する形態について説明したが、例えば、右円偏波と左円偏波を分波してもよく、２チャンネルの信号を同時送受信するようにしてもよい。
【００７１】
以上、本発明の例示的な実施の形態の偏分波器、及び、コネクタ装置について説明したが、本発明は、具体的に開示された実施の形態に限定されるものではなく、特許請求の範囲から逸脱することなく、種々の変形や変更が可能である。
【符号の説明】
【００７２】
１００  偏分波器
１１０  導波管本体
１１１  円形導波路
１１２  壁部
１１３  フランジ
１１４、１１５  ピン
１１６  反射部
１２０、１３０  コネクタ
１４０  ガイドピン
１５０  サブガイドピン
１６０  インナーカバー
１７０  アウターカバー
２１０  導波管
２２０  放射器
２３０  フランジ
２４０  プレート
３００、３００Ａ、３００Ｂ  コネクタ装置
３２０、３３０  コネクタ
３４０  ガイドホール
３５０  サブガイドホール
３７０  本体部
３８０Ａ、３８０Ｂ  Ｎ型同軸コネクタ
３９０Ａ、３９０Ｂ  同軸ケーブル
３９０Ａ１、３９０Ｂ１  Ｎ型同軸コネクタ
４００、４００Ａ、４００Ｂ  ＦＰＵ送受信装置
【図１】
2016146590.tif 000003
【図２】
2016146590.tif 000004
【図３】
2016146590.tif 000005
【図４】
2016146590.tif 000006
【図５】
2016146590.tif 000007
【図６】
2016146590.tif 000008